(57)【要約】【課題】本発明はアメリカンチェリーのクラスに基づく自動選別装置を開示した。【解決手段】ボディを含み、前記ボディの頂面にはアメリカンチェリー入り箱が設置され、前記ボディの中には右方へ開口した作動チャンバが設置され、前記作動チャンバの頂壁には前記アメリカンチェリー入り箱に連通しているアメリカンチェリー入り空間が設置され、前記作動チャンバの底壁には連通空間が設置され、前記連通空間の底壁には動力空間が設置され、前記作動チャンバの中には選別箱がスライドできるように連結され、まずアメリカンチェリー入り箱によりアメリカンチェリーを選別空間の中に入れ、そして動力モータを始動し、本装置は規格が厳しい選別孔により大きさが違うアメリカンチェリーを厳しい規定に基づいて分けることができ、従来の熟練工により選別を行う効率が低い問題と熟練工が少ない問題を克服した。【選択図】図１
2020195985.tif 000002
【特許請求の範囲】
【請求項１】
正面視で、ボディを含み、前記ボディの頂面にはアメリカンチェリー入り箱が設置され、前記ボディの中には右方へ開口した作動チャンバが設置され、前記作動チャンバの頂壁には前記アメリカンチェリー入り箱に連通しているアメリカンチェリー入り空間が設置され、前記作動チャンバの底壁には連通空間が設置され、前記連通空間の底壁には動力空間が設置され、前記作動チャンバの中には選別箱がスライドできるように連結され、前記選別箱の中には選別装置が設置され、
前記選別装置は前記選別箱の中に設置された選別空間を含み、前記選別空間の底壁には貫通軸が回転できるように連結され、前記貫通軸には前記選別空間とスライドできるように連結された選別板と仕切り板とが固定的に設置され、前記選別板が前記仕切り板の上側に位置しており、前記選別板にはアメリカンチェリーの大きさを選別する六つの選別孔が設置され、前記貫通軸が下方へ伸びて前記選別空間の底壁と前記選別箱の底面とを貫通して前記動力空間の中に入っており、且つ前記選別箱の底面と回転できるように連結され、前記動力空間の中の前記貫通軸には第一プーリが固定的に設置され、前記選別空間の右側壁には排出口が上下対称的に設置され、二つの前記排出口の上下頂壁には開閉スライド空間がそれぞれ設置され、前記開閉スライド空間の頂壁には開口空間が設置され、前記開口空間の中にはスライド板がスライドできるように連結され、前記スライド板と前記開口空間との間には連結バネが連結され、前記スライド板の左側面には固定ロッドが固定的に設置され、前記固定ロッドにはヒンジ連結軸がヒンジにより連結され、前記ヒンジ連結軸には前記開閉スライド空間とスライドできるように連結された縦ロッドがヒンジにより連結され、前記縦ロッドの中には前記排出口に連通できる開閉孔が設置され、
前記作動チャンバの中にはまた前記選別箱を制御して左右へ移動させる駆動装置が設置され、前記作動チャンバの上下側壁には触発ブロックが固定的に設置され、前記触発ブロックにはアメリカンチェリーを輸送する輸送装置が設置され、前記動力空間の頂壁にはベルト空間が設置され、前記ベルト空間と前記動力空間との間には前記輸送装置と前記選別装置とを制御して作動させる動力装置が設置され、前記作動チャンバの頂側には水箱が設置され、前記水箱の底壁には加水口が設置され、前記水箱の中には加水装置が設置され、前記作動チャンバの底壁には排水パイプが設置されたことを特徴とするアメリカンチェリーのクラスに基づく自動選別装置。
【請求項２】
前記駆動装置は前記作動チャンバの後側壁に固定的に装着された駆動モータを含み、前記駆動モータの中には駆動軸が連結され、前記駆動軸には揺りロッドが固定的に設置され、前記揺りロッドの中には前記選別箱とスライドできるように連結されたローラが回転できるように連結され、前記選別箱と前記作動チャンバとの間には大バネが連結されたことを特徴とする請求項１に記載のアメリカンチェリーのクラスに基づく自動選別装置。
【請求項３】
前記輸送装置は前記作動チャンバの前後側壁に左右上下に対称的に回転できるように装着された輸送軸を含み、前記輸送軸には輸送プーリが固定的に設置され、二つずつの前記輸送プーリの間には輸送ベルトが連結され、左側の前記輸送軸が後方へ伸びて前記作動チャンバの後側壁を貫通して前記ベルト空間の中に入っており、且つ前記ベルト空間の前後側壁と回転できるように連結され、前記触発ブロックの左側面には前記スライド板を推し動かすことができる頂ロッドが上下対称的に固定的に設置されたことを特徴とする請求項１に記載のアメリカンチェリーのクラスに基づく自動選別装置。
【請求項４】
前記動力装置は前記動力空間の底壁に固定的に装着された動力モータを含み、前記動力モータの中には動力軸が連結され、前記動力軸の下側には第二ベルトプーリが固定的に設置され、前記第二ベルトプーリと前記第一プーリとの間には弾性ベルトが連結され、前記動力軸の頂側には第一ベベルギヤが固定的に設置され、前記ベルト空間の中の左側の前記輸送軸には第三プーリが固定的に設置され、前記第三プーリの間には駆動ベルトが連結され、左下側の前記輸送軸には前記第一ベベルギヤと噛み合っている第二ベベルギヤが固定的に設置されたことを特徴とする請求項１に記載のアメリカンチェリーのクラスに基づく自動選別装置。
【請求項５】
前記加水装置は前記水箱の底壁に固定的に装着されたウォータポンプを含み、前記ウォータポンプの底側にはシャワーヘッドが連結され、前記シャワーヘッドの下側が前記作動チャンバの中に入っていることを特徴とする請求項１に記載のアメリカンチェリーのクラスに基づく自動選別装置。
【請求項６】
前記選別板と前記仕切り板とは柔らかい材質を使用し、アメリカンチェリーが落ちることによりアメリカンチェリーに傷がつくことを防止することを特徴とする請求項１に記載のアメリカンチェリーのクラスに基づく自動選別装置。
【請求項７】
前記触発ブロックがちょうど前記選別箱と接触する時、前記縦ロッドがちょうど一番下側まで運動し、前記開閉孔が前記排出口に連通していることを特徴とする請求項１に記載のアメリカンチェリーのクラスに基づく自動選別装置。
【請求項８】
前記ボディの右側面には横板が固定的に設置され、前記横板にカゴを置くことができ、前記横板は上側の前記輸送ベルトにより排出されたアメリカンチェリーを収集できることを特徴とする請求項１に記載のアメリカンチェリーのクラスに基づく自動選別装置。
【請求項９】
前記作動チャンバの底壁には水を排出できる排水パイプが設置されたことを特徴とする請求項１に記載のアメリカンチェリーのクラスに基づく自動選別装置。
【発明の詳細な説明】
【技術分野】
【０００１】
本発明は果物選別分野を取り上げて、具体的にはアメリカンチェリーのクラスに基づく自動選別装置である。
【背景技術】
【０００２】
国家の発展につれ、人々の生活レベルが大幅に上がり、アメリカンチェリーは外来の輸入果物として、味が良く、値段が高いなどの特徴を有し、アメリカンチェリーを選別する過程において、通常は果実の直径により、アメリカンチェリーを異なるクラスに分け、異なるクラスのアメリカンチェリーの間の値段差が非常に大きいため、異なるサイズのアメリカンチェリーの分類はとても重要である。
従来のアメリカンチェリーのクラス分けは選別に熟練している作業員により手で行われ、しかし、この方式の効率はとても低く、需要が増えてきた現在、熟練工の数が非常に限られており、従来の他の果物の選別は間隔の大きさが違う伝送軸により行われ、しかし、アメリカンチェリーの異なるクラスの直径の差がそんなに大きくなく、このような選別方式の精度が高くなく、そのため、アメリカンチェリー専用の選別装置を設計することが非常に必要である。
【先行技術文献】
【特許文献】
【０００３】
【特許文献１】中国特許出願公開第１０４６６８１９９号明細書
【発明の概要】
【発明が解決しようとする課題】
【０００４】
本発明はアメリカンチェリーのクラスに基づく自動選別装置を提供し、上記背景技術において提出された問題を解決することを目的とする。
【課題を解決するための手段】
【０００５】
上記の目的を実現するために、本発明は以下の技術プランを提供する：アメリカンチェリーのクラスに基づく自動選別装置は、ボディを含み、前記ボディの頂面にはアメリカンチェリー入り箱が設置され、前記ボディの中には右方へ開口した作動チャンバが設置され、前記作動チャンバの頂壁には前記アメリカンチェリー入り箱に連通しているアメリカンチェリー入り空間が設置され、前記作動チャンバの底壁には連通空間が設置され、前記連通空間の底壁には動力空間が設置され、前記作動チャンバの中には選別箱がスライドできるように連結され、前記選別箱の中には選別装置が設置され、
前記選別装置は前記選別箱の中に設置された選別空間を含み、前記選別空間の底壁には貫通軸が回転できるように連結され、前記貫通軸には前記選別空間とスライドできるように連結された選別板と仕切り板とが固定的に設置され、前記選別板が前記仕切り板の上側に位置しており、前記選別板にはアメリカンチェリーの大きさを選別する六つの選別孔が設置され、前記貫通軸が下方へ伸びて前記選別空間の底壁と前記選別箱の底面とを貫通して前記動力空間の中に入っており、且つ前記選別箱の底面と回転できるように連結され、前記動力空間の中の前記貫通軸には第一プーリが固定的に設置され、前記選別空間の右側壁には排出口が上下対称的に設置され、二つの前記排出口の上下頂壁には開閉スライド空間がそれぞれ設置され、前記開閉スライド空間の頂壁には開口空間が設置され、前記開口空間の中にはスライド板がスライドできるように連結され、前記スライド板と前記開口空間との間には連結バネが連結され、前記スライド板の左側面には固定ロッドが固定的に設置され、前記固定ロッドにはヒンジ連結軸がヒンジにより連結され、前記ヒンジ連結軸には前記開閉スライド空間とスライドできるように連結された縦ロッドがヒンジにより連結され、前記縦ロッドの中には前記排出口に連通できる開閉孔が設置され、
前記作動チャンバの中にはまた前記選別箱を制御して左右へ移動させる駆動装置が設置され、前記作動チャンバの上下側壁には触発ブロックが固定的に設置され、前記触発ブロックにはアメリカンチェリーを輸送する輸送装置が設置され、前記動力空間の頂壁にはベルト空間が設置され、前記ベルト空間と前記動力空間との間には前記輸送装置と前記選別装置とを制御して作動させる動力装置が設置され、前記作動チャンバの頂側には水箱が設置され、前記水箱の底壁には加水口が設置され、前記水箱の中には加水装置が設置され、前記作動チャンバの底壁には排水パイプが設置された。
【０００６】
上記の技術プランの基礎の上に、前記駆動装置は前記作動チャンバの後側壁に固定的に装着された駆動モータを含み、前記駆動モータの中には駆動軸が連結され、前記駆動軸には揺りロッドが固定的に設置され、前記揺りロッドの中には前記選別箱とスライドできるように連結されたローラが回転できるように連結され、前記選別箱と前記作動チャンバとの間には大バネが連結された。
【０００７】
上記の技術プランの基礎の上に、前記輸送装置は前記作動チャンバの前後側壁に左右上下に対称的に回転できるように装着された輸送軸を含み、前記輸送軸には輸送プーリが固定的に設置され、二つずつの前記輸送プーリの間には輸送ベルトが連結され、左側の前記輸送軸が後方へ伸びて前記作動チャンバの後側壁を貫通して前記ベルト空間の中に入っており、且つ前記ベルト空間の前後側壁と回転できるように連結され、前記触発ブロックの左側面には前記スライド板を推し動かすことができる頂ロッドが上下対称的に固定的に設置された。
【０００８】
上記の技術プランの基礎の上に、前記動力装置は前記動力空間の底壁に固定的に装着された動力モータを含み、前記動力モータの中には動力軸が連結され、前記動力軸の下側には第二ベルトプーリが固定的に設置され、前記第二ベルトプーリと前記第一プーリとの間には弾性ベルトが連結され、前記動力軸の頂側には第一ベベルギヤが固定的に設置され、前記ベルト空間の中の左側の前記輸送軸には第三プーリが固定的に設置され、前記第三プーリの間には駆動ベルトが連結され、左下側の前記輸送軸には前記第一ベベルギヤと噛み合っている第二ベベルギヤが固定的に設置された。
【０００９】
上記の技術プランの基礎の上に、前記加水装置は前記水箱の底壁に固定的に装着されたウォータポンプを含み、前記ウォータポンプの底側にはシャワーヘッドが連結され、前記シャワーヘッドの下側が前記作動チャンバの中に入っている。
【００１０】
上記の技術プランの基礎の上に、前記選別板と前記仕切り板とは柔らかい材質を使用し、アメリカンチェリーが落ちることによりアメリカンチェリーに傷がつくことを防止する。
【００１１】
上記の技術プランの基礎の上に、前記触発ブロックがちょうど前記選別箱と接触する時、前記縦ロッドがちょうど一番下側まで運動し、前記開閉孔が前記排出口に連通している。
【００１２】
上記の技術プランの基礎の上に、前記ボディの右側面には横板が固定的に設置され、前記横板にカゴを置くことができ、前記横板は上側の前記輸送ベルトにより排出されたアメリカンチェリーを収集できる。
【００１３】
上記の技術プランの基礎の上に、前記作動チャンバの底壁には水を排出できる排水パイプが設置された。
【発明の効果】
【００１４】
以上により、本発明の有益効果は：本装置は規格が厳しい選別孔により大きさが違うアメリカンチェリーを厳しい規定に基づいて分けることができ、従来の熟練工により選別を行う効率が低い問題と熟練工が少ない問題を克服し、同時に従来のローラーの距離により果実の大きさを分ける方法と比べ、本装置の選別の精度がもっと高い。
【００１５】
同時に、本装置は一度比較的に多いアメリカンチェリーを選別でき、これにより本装置の効率が比較的に高く、また選別を終えた後、人で収集する必要はなく、輸送装置により選別されたアメリカンチェリーを異なるクラスに基づいてそれぞれ排出することができ、しかも本装置の中に加水装置があり、アメリカンチェリーが外部へ輸送される時にアメリカンチェリーを洗って一部の農薬を取り除くと同時に、果実にある埃や泥などを洗い流す。
【図面の簡単な説明】
【００１６】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明のアメリカンチェリーのクラスに基づく自動選別装置の全体全断面の正面構成模式図
【図２】図２は本発明の図１の中のＡのところの部分拡大図
【図３】図３は本発明の図１の中の後側の正面断面図
【図４】図４は本発明の図１の中の選別板の上面図
【発明を実施するための形態】
【００１８】
本発明書に開示した全ての特徴、或いは開示した全ての方法、過程中のステップは、互いに排斥する特徴或いはステップ以外に、いかなる方式で組み合わせることができる。
【００１９】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００２０】
図１〜４を参照し、本発明の実施例のアメリカンチェリーのクラスに基づく自動選別装置は、ボディ２１を含み、前記ボディ２１の頂面にはアメリカンチェリー入り箱５２が設置され、前記ボディ２１の中には右方へ開口した作動チャンバ２２が設置され、前記作動チャンバ２２の頂壁には前記アメリカンチェリー入り箱５２に連通しているアメリカンチェリー入り空間５４が設置され、前記作動チャンバ２２の底壁には連通空間３４が設置され、前記連通空間３４の底壁には動力空間２９が設置され、前記作動チャンバ２２の中には選別箱３０がスライドできるように連結され、前記選別箱３０の中には選別装置１０１が設置され、前記選別装置１０１は前記選別箱３０の中に設置された選別空間７２を含み、前記選別空間７２の底壁には貫通軸３２が回転できるように連結され、前記貫通軸３２には前記選別空間７２とスライドできるように連結された選別板２７と仕切り板３１とが固定的に設置され、前記選別板２７が前記仕切り板３１の上側に位置しており、前記選別板２７にはアメリカンチェリーの大きさを選別する六つの選別孔５５が設置され、前記貫通軸３２が下方へ伸びて前記選別空間７２の底壁と前記選別箱３０の底面とを貫通して前記動力空間２９の中に入っており、且つ前記選別箱３０の底面と回転できるように連結され、前記動力空間２９の中の前記貫通軸３２には第一プーリ３３が固定的に設置され、前記選別空間７２の右側壁には排出口６６が上下対称的に設置され、二つの前記排出口６６の上下頂壁には開閉スライド空間６５がそれぞれ設置され、前記開閉スライド空間６５の頂壁には開口空間７０が設置され、前記開口空間７０の中にはスライド板６８がスライドできるように連結され、前記スライド板６８と前記開口空間７０との間には連結バネ６７が連結され、前記スライド板６８の左側面には固定ロッド６９が固定的に設置され、前記固定ロッド６９にはヒンジ連結軸６２がヒンジにより連結され、前記ヒンジ連結軸６２には前記開閉スライド空間６５とスライドできるように連結された縦ロッド６３がヒンジにより連結され、前記縦ロッド６３の中には前記排出口６６に連通できる開閉孔６４が設置され、前記作動チャンバ２２の中にはまた前記選別箱３０を制御して左右へ移動させる駆動装置１０２が設置され、前記作動チャンバ２２の上下側壁には触発ブロック４９が固定的に設置され、前記触発ブロック４９にはアメリカンチェリーを輸送する輸送装置１０３が設置され、前記動力空間２９の頂壁にはベルト空間５６が設置され、前記ベルト空間５６と前記動力空間２９との間には前記輸送装置１０３と前記選別装置１０１とを制御して作動させる動力装置１０４が設置され、前記作動チャンバ２２の頂側には水箱５１が設置され、前記水箱５１の底壁には加水口４６が設置され、前記水箱５１の中には加水装置１０５が設置され、前記作動チャンバ２２の底壁には排水パイプが設置された。
【００２１】
他に、一つの実施例の中、前記駆動装置１０２は前記作動チャンバ２２の後側壁に固定的に装着された駆動モータ２５を含み、前記駆動モータ２５の中には駆動軸２４が連結され、前記駆動軸２４には揺りロッド２３が固定的に設置され、前記揺りロッド２３の中には前記選別箱３０とスライドできるように連結されたローラ２６が回転できるように連結され、前記選別箱３０と前記作動チャンバ２２との間には大バネ２８が連結され、これにより前記駆動モータ２５を始動し、これにより前記駆動軸２４により前記揺りロッド２３を連動させて回転させ、これにより前記ローラ２６により前記選別箱３０を右方へ推し動かすことができ、その作用は前記選別箱３０の移動を駆動することである。
【００２２】
他に、一つの実施例の中、前記輸送装置１０３は前記作動チャンバ２２の前後側壁に左右上下に対称的に回転できるように装着された輸送軸４２を含み、前記輸送軸４２には輸送プーリ４３が固定的に設置され、二つずつの前記輸送プーリ４３の間には輸送ベルト４４が連結され、左側の前記輸送軸４２が後方へ伸びて前記作動チャンバ２２の後側壁を貫通して前記ベルト空間５６の中に入っており、且つ前記ベルト空間５６の前後側壁と回転できるように連結され、前記触発ブロック４９の左側面には前記スライド板６８を推し動かすことができる頂ロッド５０が上下対称的に固定的に設置され、これにより前記輸送軸４２が回転して前記輸送プーリ４３により前記輸送ベルト４４を連動させて回転させ、これにより前記輸送ベルト４４にあるアメリカンチェリーを前記ボディ２１の外部まで輸送できる。
【００２３】
他に、一つの実施例の中、前記動力装置１０４は前記動力空間２９の底壁に固定的に装着された動力モータ３８を含み、前記動力モータ３８の中には動力軸３７が連結され、前記動力軸３７の下側には第二ベルトプーリ３９が固定的に設置され、前記第二ベルトプーリ３９と前記第一プーリ３３との間には弾性ベルト３５が連結され、前記動力軸３７の頂側には第一ベベルギヤ６１が固定的に設置され、前記ベルト空間５６の中の左側の前記輸送軸４２には第三プーリ５９が固定的に設置され、前記第三プーリ５９の間には駆動ベルト７３が連結され、左下側の前記輸送軸４２には前記第一ベベルギヤ６１と噛み合っている第二ベベルギヤ６０が固定的に設置され、これにより前記動力軸３７が前記第二ベルトプーリ３９と、前記第一ベベルギヤ６１と、前記第二ベベルギヤ６０とを連動させて回転させ、これにより前記輸送軸４２の回転を連動させ、その作用は装置全体に動力を提供することである。
【００２４】
他に、一つの実施例の中、前記加水装置１０５は前記水箱５１の底壁に固定的に装着されたウォータポンプ４７を含み、前記ウォータポンプ４７の底側にはシャワーヘッド４５が連結され、前記シャワーヘッド４５の下側が前記作動チャンバ２２の中に入っており、これにより前記ウォータポンプ４７を開けて前記水箱５１の中の水を前記シャワーヘッド４５により噴き出すことができ、前記輸送ベルト４４にあるアメリカンチェリーを洗うことができる。
【００２５】
他に、一つの実施例の中、前記選別板２７と前記仕切り板３１とは柔らかい材質を使用し、アメリカンチェリーが落ちることによりアメリカンチェリーに傷がつくことを防止する。
【００２６】
他に、一つの実施例の中、前記触発ブロック４９がちょうど前記選別箱３０と接触する時、前記縦ロッド６３がちょうど一番下側まで運動し、前記開閉孔６４が前記排出口６６に連通している。
【００２７】
他に、一つの実施例の中、前記ボディ２１の右側面には横板４１が固定的に設置され、前記横板４１にカゴを置くことができ、前記横板４１は上側の前記輸送ベルト４４により排出されたアメリカンチェリーを収集できる。
【００２８】
他に、一つの実施例の中、前記作動チャンバ２２の底壁には水を排出できる排水パイプ４０が設置された。
【００２９】
使用する時、まずアメリカンチェリー入り箱５２によりアメリカンチェリーを選別空間７２の中に入れ、そして動力モータ３８を始動し、これにより動力軸３７と、第二ベルトプーリ３９と、第一プーリ３３と、貫通軸３２と、仕切り板３１と、選別板２７とを連動させて回転させ、これによりアメリカンチェリーを連動させて回転させ、これにより比較的に小さいアメリカンチェリーを選別孔５５により仕切り板３１に落とし、そして駆動モータ２５を始動し、これにより駆動軸２４により揺りロッド２３を連動させて回転させ、これによりローラ２６により選別箱３０を右方へ推し動かすことができ、頂ロッド５０がスライド板６８を左方へ推し動かし、これによりヒンジ連結軸６２により縦ロッド６３を連動させて下方へ移動させ、これにより開閉孔６４が排出口６６に連通し、そしてアメリカンチェリーが輸送ベルト４４に落ち、動力軸３７が第二ベルトプーリ３９と、第一ベベルギヤ６１と、第二ベベルギヤ６０とを連動させて回転させ、これにより輸送軸４２の回転を連動させ、輸送軸４２が回転して輸送プーリ４３により輸送ベルト４４を連動させて回転させ、これにより輸送ベルト４４にあるアメリカンチェリーをボディ２１の外部まで輸送し、高いクラスのアメリカンチェリーが上方の輸送ベルト４４から排出され、低いクラスのアメリカンチェリーが下方の輸送ベルト４４から排出され、この期間において、ウォータポンプ４７を開けて水箱５１の中の水を噴き出し、アメリカンチェリーを洗う。
【００３０】
本発明の有益効果は：本装置は規格が厳しい選別孔により大きさが違うアメリカンチェリーを厳しい規定に基づいて分けることができ、従来の熟練工により選別を行う効率が低い問題と熟練工が少ない問題を克服し、同時に従来のローラーの距離により果実の大きさを分ける方法と比べ、本装置の選別の精度がもっと高い。
【００３１】
同時に、本装置は一度比較的に多いアメリカンチェリーを選別でき、これにより本装置の効率が比較的に高く、また選別を終えた後、人で収集する必要はなく、輸送装置により選別されたアメリカンチェリーを異なるクラスに基づいてそれぞれ排出することができ、しかも本装置の中に加水装置があり、アメリカンチェリーが外部へ輸送される時にアメリカンチェリーを洗って一部の農薬を取り除くと同時に、果実にある埃や泥などを洗い流す。
【００３２】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020195985.tif 000003
【図２】
2020195985.tif 000004
【図３】
2020195985.tif 000005
【図４】
2020195985.tif 000006